(57)【要約】      （修正有）【課題】多極電気コネクタのロック手段をロックするための単純且つ実用的なデバイスを提供する。【解決手段】プラグコネクタ半分部３ａ，３ｂのそれぞれは保護筐体４ａ，４ｂが装備され、保護筐体の一方の保護筐体４ａは、筐体４ａの短い側面の一方に跨って配置される少なくとも１つのロックレバー２が装備されレバー本体２ａ，２ｂはロックレバーを開閉するためのハンドルとして働く横断要素２ｃによって相互に一体化され、プラグコネクタ３は、ロックレバーのレバー本体に平行に位置付けられ及び固定されることができ、ロックレバーのレバー本体の一方の上に載っているロックレバー用のロックデバイス１が設けられる。【選択図】図３
2020126842.tif 000002
【特許請求の範囲】
【請求項１】
２つの長い側面及び２つの短い側面を伴う多極長方形電気プラグコネクタ（３）であって、第１のプラグコネクタ半分部（３ａ）と、対応して噛合する第２のプラグコネクタ半分部（３ｂ）とから成り、前記プラグコネクタ半分部（３ａ，３ｂ）のそれぞれは保護筐体（４ａ，４ｂ）が装備され、前記保護筐体（４ａ，４ｂ）の一方の保護筐体（４ａ）は、前記筐体（４ａ）の短い側面の一方に跨って配置される少なくとも１つのロックレバー（２）が装備され、前記保護筐体（４ａ，４ｂ）の他方の筐体（４ｂ）は少なくとも一対のラッチピン（５ａ，５ｂ）が装備され、前記ロックレバー（２）はラッチフックとして働く２つのレバー本体（２ａ，２ｂ）を有し、前記レバー本体（２ａ，２ｂ）のそれぞれは、前記保護筐体（４ａ）の前記２つの反対側の長い側面の一方に固定される適切なヒンジピン（６ａ，６ｂ）上で枢動し、ヒンジ端に対面する端に、第２のプラグコネクタの半分部（３ｂ）の前記対応する筐体（４ｂ）上に配置される前記ラッチピン（５ａ，５ｂ）上における当該レバー（２）の回転運動によって係合するように適合された一端（７ａ，７ｂ）が備えられ、前記レバー本体（２ａ，２ｂ）は、前記ロックデバイス（２）の開閉ハンドルとして働く横断要素（２ｃ）によって一緒に接合され、前記コネクタ（３）は、前記レバー本体（２ａ，２ｂ）を抱持することによって、各々、前記ロックピン（５ａ，５ｂ）及び前記ヒンジピン（６ａ，６ｂ）をロックするように、前記ロックレバー（２）の前記レバー本体（２ａ，２ｂ）に平行に位置付けられ及び固定されることができ、前記ロックレバー（２）の前記レバー本体（２ａ，２ｂ）の一方の上に載っている、剛性である前記ロックレバー（２）用のロックデバイス（１）を提供することを特徴とする、多極長方形電気プラグコネクタ（３）。
【請求項２】
前記ロックレバー（２）用の前記ロックデバイス（１）は、前記レバー本体（２ａ，２ｂ）の一方の内側に位置付けられることができることを特徴とする、請求項１に記載の長方形多極電気プラグコネクタ（３）。
【請求項３】
前記ロックレバー（２）用の前記ロックデバイス（１）は、前記レバー本体（２ａ，２ｂ）の一方の外側に位置付けられることができることを特徴とする、請求項１に記載の長方形多極電気プラグコネクタ（３）。
【請求項４】
前記ロックレバー（２）用の前記ロックデバイス（１）は、３つの端（１ａ，１ｂ，１ｃ）を有し、前記第１の端（１ａ）は前記レバー（２）の前記横断要素（２ｃ）の近くに配置され、前記第２の端（１ｂ）及び第３の端（１ｃ）は、各々、前記ヒンジピン（６ａ，６ｂ）の一方または前記ラッチピン（５ａ，５ｂ）の一方と係合するために、「口」のように成形された各々のラッチ座部（１１ｂ，１１ｃ）を形成することを特徴とする、請求項１〜３のいずれかに記載の長方形多極電気プラグコネクタ（３）。
【請求項５】
前記ロックデバイス（１）の前記３つの端の前記第１の端（１ａ）は、前記デバイス（１）の延長平面に垂直に配向され、前記ロックレバー（２）の開ける方向に配向されるレバー本体（２ａ，２ｂ）の縁に載るように設計された、突出舌状部（１１ａ）のように成形された少なくとも１つの付属品が設けられることを特徴とする、請求項４に記載の長方形多極電気プラグコネクタ（３）。
【請求項６】
前記ロックデバイス（１）の前記２つの結合している座部（１１ｂ，１１ｃ）、前記ヒンジピン（６ａ，６ｂ）の一方と係合するための前記一方の座部（１１ｂ）は前記第１の端（１ａ）から離れて対面するのに対し、前記ラッチピン（５ａ，５ｂ）の一方と係合するための前記他方の座部（１１ｃ）は前記第１の端（１ａ）に対面することを特徴とする、請求項４または５に記載の長方形多極電気プラグコネクタ（３）。
【請求項７】
前記ロックデバイス（１）の前記第１の端（１ａ）は、前記デバイス（１）の前記延長平面に垂直に配向され、デバイス（１）が設置されロックレバー（２）がロックされた状況で、閉鎖用南京錠（１４）を受容するように適合された孔（１３）が設けられた、突出舌状部（１２）のように成形された少なくとも１つの付属品が設けられることを特徴とする、請求項４〜６のいずれか１項に記載の長方形多極電気プラグコネクタ（３）。
【請求項８】
前記ロックデバイス（１）の前記第１の端（１ａ）は、前記少なくとも１つの突出舌状部（１２）上に、前記プラグコネクタ部（３ａ，３ｂ）に前記ロックデバイス（１）を締結するためのコード（１６）を受容するように適合されたさらなる孔（１５）を有することを特徴とする、請求項７に記載の長方形多極電気プラグコネクタ（３）。
【請求項９】
前記長方形多極電気プラグコネクタ（３）は、金属材料、または熱可塑性絶縁材料もしくは熱硬化性絶縁材料から作成されることを特徴とする、請求項１〜８のいずれかに記載の長方形多極電気プラグコネクタ（３）。
【請求項１０】
請求項１〜９のいずれかに記載の特徴を有する長方形多極電気コネクタ（３）のロックレバー（２）用のロックデバイス（１）。
【発明の詳細な説明】
【技術分野】
【０００１】
本発明は、その目的として、１対の長方形多極電気コネクタ筐体のロックレバー用のロックデバイス、特に、（両方の長い側面の）筐体の中央で枢動するスナップ式レバーによって閉鎖するために設計された筐体用のロックデバイスを有する。このため、これらの筐体は、また、「中央レバーを伴う筐体（または、中央レバー用の筐体）」と呼ばれる。これらのコネクタの結合部をロックすることを可能にすることに加えて、本発明の対象であるデバイスは、必要に応じて、結合部を南京錠で閉鎖することを可能にし、無許可の開錠を回避することが可能になる。
【０００２】
係る電気コネクタの結合部は、当技術分野で既知の１つ以上のスナップ式ロックレバーによって一緒にロック可能である、その各々の保護筐体の内側に搭載されたプラグ及びソケットコネクタ挿入具から成る。これらの２つの長方形多極電気コネクタ筐体の一方は、結合部表面上の適切な座部に設置される（例えば、Ｏリング断面の外形が作られる、またはＯリング断面を伴うかのいずれである縁上の）密閉ガスケットが装備される。当該ガスケットは、いったんスナップ式ロックレバーでロックされると、ＥＮ  ＩＥＣ６０５２９（例えば、ＩＰ６５、ＩＰ６６、ＩＰ６６／ＩＰ６７、ＩＰ６６／ＩＰ６７／ＩＰ６９）に従ったＩＰ保護等級、及び／または、いわゆる、ＡＮＳＩ  ＵＬ  ５０Ｅ（例えば、Ｔｙｐｅ４、Ｔｙｐｅ４Ｘ）に従ったタイプレイティング（Ｔｙｐｅ  Ｒａｔｉｎｇ）によって特徴付けられる、ほこり及び液体の侵入に対する高い保護等級の結合を確実にする。
【０００３】
対象のロックデバイスは、長方形多極電気コネクタ筐体の当該結合部上のスナップ式ロックレバーのロックを行い、ひいては、予想外の衝突または当該レバーの突起のもつれの結果として、筐体によって確実になる電気的接続の安全性の低下につながる、またそれ以外の点ではロックの望んでいない解除につながり得る、適用環境に応じた所望の保護等級の低下を防止する目的がある。
【背景技術】
【０００４】
当技術分野で既知のスナップ式ロックレバーは２つのフックから成り、２つのフックは、筐体の片方に配置される対応するくぎの動作の原理に応じて、剛性または弾性の様式で係合するように回転する、長方形筐体の２つの長い側面に配置され、２つの長い側面にヒンジ接続される（代替として、短い側面にヒンジ接続される単一のレバーを伴う筐体がある）、独国実用新案第２０２００４００４６１９号明細書（特許文献１）に説明される剛性であり連結式であるもの、または、欧州特許出願公開第０３５２５７９号明細書（特許文献２）に説明される弾性［弾力性］のあるもの、または、同様に、独国実用新案第９４０４２９５号明細書（特許文献３）にあるものである。
【０００５】
レバーをロック解除し、次に、当該筐体内部に設置及び配線されたコネクタを外すことによって筐体を開けるためには、一定の力（ロック解除トルク）を加えることが必要であるため、ロックレバーの開錠のアクションは意図的になる。
【０００６】
ロックレバーのタイミングが悪い解除の危険性は、本質的な理由のために、単一のレバー筐体が短い側面で枢動する場合または２つのレバーが短い側面のそれぞれを横断して配置される場合よりも長いレバーアームを有する「中央レバー」構成等の構成の存在下で悪化する。特に、いわゆる中央レバーは、通常、剛性であり、開錠操作中、その各々の筐体に収容される多極コネクタの取り外しを容易にするようにカムで構成される。
【０００７】
しかしながら、特に、適切にロックされていない場合、例えば、（例えば、配線を設置するときに）筐体が設置されているケーブル管路内または金属通路内で牽引力（引きずられる力）を受け得る、結合されていない［運搬可能な］筐体の結合部に関して、予想外の衝突は、意図的ではない解除、ひいては、筐体結合部の開錠を生じさせ得、固形物（ほこり）及び液体（水）の侵入に対する保護等級への結果として生じる損害を生じ、コネクタに荷重をかけて抜去が完了することが可能になるまで、筐体の内側に設置される電気的接続部の機能的安全性は危険にさらされる。コネクタは、この荷重に損傷なく耐えることができない。ここで、コネクタは遮断容量がないコネクタである。
【０００８】
この潜在的危険を防止するため、多極電気コネクタ筐体のこれらの結合部に、結合部が装備されるスナップ式ロックレバーのロックデバイスを装備するのが適切であり得る。ロックデバイスはさらにロック可能な南京錠によってロック可能であり、筺体のロックレバーのいかなる無許可の開錠も防止される。
【０００９】
本デバイスは、設置することが容易且つ直感で理解できることと、とりわけ、筐体の全体寸法を大きくしないこととが重要である。とりわけ、本デバイスは、既に設置した筐体の修正、また、さらに交換を含意しないことが重要であり、同様に、製造することが容易且つ安価であることが重要である。
【００１０】
先行技術では、長方形電気コネクタ筐体のロックレバー用のロックデバイスは、既に知られており、多極電気コネクタ筐体の１つ以上のロックレバー（ブロック）に対応して、楔のように嵌合するように適切にサイズ決定及び成形される金属薄板の一部分から成り、したがって、ブロックを実現し、許可されていない人が開くことを防止するロック可能な南京錠の設置を選択肢として可能にする。
【００１１】
図１は、欧州特許出願公開第０３５２５７９号明細書（特許文献２）に説明されるもの等のスナップ式ロックレバーをロックするために設計された既知のロックデバイスの例を提供する。図２ａ）〜ｄ）は、上記に説明した種類のスナップ式ロックレバーを伴う１対の長方形多極コネクタ（２つのレバーコネクタ筐体）のこれらのデバイスの１つの設置を詳細に示す。
【００１２】
既知の技術のさらなるロックデバイスは、伊国実用新案第２４１００４号明細書（特許文献４）に言及されている。
【００１３】
さらに最近のものでは、長方形電気コネクタのレバー用ロックデバイスは、独国特許出願公開第１０２０１７１０２２２６号明細書（特許文献５）（国際公開第２０１８／１４１３２８号（特許文献６）に対応する）に説明されている。本デバイスは、２つの半分部からなる、及び／または目的を達成するために、筐体の上に特殊な凹部を取得することによる各々の筐体の修正、したがって、各々のロックデバイスを使用する場合に、これらの特別な筐体と一緒に使用される筐体の交換を可能にすることを要求する、他の同様の周知の実現化に典型的な、不利点がある。
【００１４】
上記に言及した全てのデバイスは、強調した不便性とは別に、また、上記に説明した種類のレバーの全体寸法の特定の幾何学形状を有しないロックレバーに不適切であり、特に、それらのデバイスは、いわゆる中央レバー、すなわち結合部の２つの筐体の一方の長い側面の中央で枢動する、結合部の他の対応する筐体の長い側面の中央に等しく設置されるいわゆるラッチピンの特殊なフック端と係合するのに適切なレバーに不適切である。
【００１５】
コネクタの筐体またはコネクタのロックレバーの修正の介入を必要とし、したがってその不利点として、経済的不便性につながるコネクタの筐体の交換が必要な、あまり一般的ではないいくつかの解決策とは別に、現在、特に、許可されていない人によるタイミングが悪い解除及び／または不正な行為を防止する中央レバー筐体タイプ用の安全保護装置がない。
【先行技術文献】
【特許文献】
【００１６】
【特許文献１】独国実用新案第２０２００４００４６１９号明細書
【特許文献２】欧州特許出願公開第０３５２５７９号明細書
【特許文献３】独国実用新案第９４０４２９５号明細書
【特許文献４】伊国実用新案第２４１００４号明細書
【特許文献５】独国特許出願公開第１０２０１７１０２２２６号明細書
【特許文献６】国際公開第２０１８／１４１３２８号
【発明の概要】
【発明が解決しようとする課題】
【００１７】
本発明の目的は、既に配線され及び組み立てられた上記に説明したもの等のコネクタに適用可能であり、ひいては、例えば特別に修正された筐体またはレバーとの部品の交換を必要としないロックデバイスを利用可能にして、上記の不便性をなくし、ロック手段への無許可の操作を回避する、または困難にするために、多極電気コネクタのロック手段をロックするための単純且つ実用的なデバイスを提供することである。
【００１８】
本発明の別の目的は、許可されていない人によって動作停止することができないロックデバイス等を提供することである。
【００１９】
本発明の別の目的は、実装するのに単純且つ安価であるロックデバイス等を提供することである。
【００２０】
これらの目的は、本発明に従って、コネクタの筐体及び／またはロック手段のレバーの構造を変更することを必要としないで、既に動作中のコネクタに適用される、添付の請求項１の特徴を伴うロックデバイスを提供することによって達成される。
【課題を解決するための手段】
【００２１】
本発明の具体的な利点の達成は、従属請求項に記載される。
【００２２】
基本的に、本発明に従って、２つの長い側面及び２つの短い側面を伴う長方形多極電気コネクタは、第１のコネクタ半分部と、対応するように結合される第２のコネクタ半分部とから成り、これらのコネクタ半分部のそれぞれは保護筐体が装備され、保護筐体の一方は、当該筐体の短い側面の一方を横切って位置する少なくとも１つのロックレバーが装備され、保護筐体の他方は少なくとも一対のラッチピンが装備され、当該ロックレバーはラッチフックの機能がある２つのレバー本体が存在し、レバー本体のそれぞれは、当該保護筐体の２つの長い反対側の一方に固定される特別なヒンジピン上でヒンジ接続され、ヒンジに対面する端に、第２のコネクタの半分部の当該対応する筐体上に設置される当該ラッチピン上における当該レバーの回転運動によってフック留めするのに適切な端が装備され、当該レバー本体は当該ロックレバーを開閉するためのハンドルとして働く横断要素によって相互に一体化され、当該コネクタは、当該ロックレバーのレバー本体に平行に位置付け可能及び固定可能であり、当該ロックレバーのレバー本体の一方に寄り掛かっている当該ロックレバー用のロックデバイスが装備される。
【００２３】
本発明のさらなる特徴は、以下に続く詳細な説明からより明らかになり、その純粋な例証形態を参照し、ひいては、添付図に示されるその実現されたものに制限されない。
【図面の簡単な説明】
【００２４】
【図１】２つのロックレバーによって結合されるコネクタ筐体の場合の既知の技術［先行技術］による、ロックデバイスの斜視図である。
【図２ａ】ロックレバー上の図１に示されるロックデバイスの組立段階を示す。
【図２ｂ】ロックレバー上の図１に示されるロックデバイスの組立段階を示す。
【図２ｃ】ロックレバー上の図１に示されるロックデバイスの組立段階を示す。
【図２ｄ】ロックレバー上の図１に示されるロックデバイスの組立段階を示す。
【図３】中央レバーによって結合されるコネクタ筐体に適用される本発明による、ロックデバイスの組み立ての連続段階を示す斜視図である。
【図４】中央レバーによって結合されるコネクタ筐体に適用される本発明による、ロックデバイスの組み立ての連続段階を示す斜視図である。
【図５】中央レバーによって結合されるコネクタ筐体に適用される本発明による、ロックデバイスの組み立ての連続段階を示す斜視図である。
【図６】中央レバーによって結合されるコネクタ筐体に適用される本発明による、ロックデバイスの組み立ての連続段階を示す斜視図である。
【図７】上記に見られるものの選択式の追加安全装置を示す。
【図８】上記に見られるものの選択式の追加安全装置を示す。
【図９】本発明による、上記に見られるもののロックデバイスの解除及び取り外しを示す。
【図１０】本発明による、上記に見られるもののロックデバイスの解除及び取り外しを示す。
【図１１】本発明による、ロックデバイスだけの斜視図である。
【発明を実施するための形態】
【００２５】
当業者に到達可能な範囲内にあり詳細において異なるさらなる変形例を限定しない本発明の実現化の代表例は、いわゆる「中央レバー」、すなわち、多くの場合いわゆるレバー本体を構成するように適切に成形された鋼鉄シートの２つの部分から作成され、レバー自体の桟付動作ハンドルを構成する部分によって相互に一体化された、スナップ式ロックレバー、をブロックするために提供され、当該レバーは、レバーを伴う筐体の長い側面の中央に固定されたヒンジピンによって、筐体の短い側面の一方に跨って配置されている。
【００２６】
図３は、結合されていない［移動型］種類の長方形多極コネクタ３の結合の斜視図を表し、長方形多極コネクタ３は、「中央レバー」として事前に説明した種類のスナップ式ロックレバー２を伴うその各々の筐体４ａが装備され、結合縁上に接触面ガスケット３０が装備される、第１のコネクタ半分部３ａと、１対のラッチピン５ａ，５ｂと、すぐに設置できる本発明の目的であるロックデバイス１とが装備されるその各々の筐体４ｂ（該当する場合、また、結合されていない［移動型］のもの）が装備される第２のコネクタ半分部３ｂと、から成る。
【００２７】
図４は前述の図３のような斜視図を表し、本発明の好ましい実施形態の設置の第１の段階が示され、第１の段階は、対応するラッチピン５ａ，５ｂと係合する各々の突起７ａ，７ｂ（この場合、７ａ）を有するレバー本体２ａ，２ｂの一方（この場合、２ａ）への挿入を提供する。特に、デバイス１は矢印によって示される方向に挿入され、下側端１ｃは筐体４ｂのラッチピン５ａを通り超える。
【００２８】
図５は前述の図４のような斜視図を表し、設置の第２の段階が示され、特に、ここで、デバイス１の下側端１ｃに対応する結合座部または「口」１１ｃは、示される反時計回りで、口１１ｃの周囲でロックして、筐体４ｂのラッチピン５ａを抱持する。
【００２９】
図６はレバー２の搭載及び関連するロックの最終位置のロックデバイス１を表し、最終位置は、上記の図５に示される反時計回りを完了することによって、端１ａの挿入及びレバー本体２ａにわたるその舌状部１１ａの通過を容易にするために、矢印によって示される方向に、反対側のレバー本体２ｂの端にわずかな圧力をレバー２に加えることによって達成される。回転の終了時、また、上端１ｂ端は、ロックレバー２のヒンジピン６ａを抱持及びロックすることを終了する。
【００３０】
図７及び図８は、組立順序において、ロックデバイス１によって利用可能になるオプションを表す。補足タブ１２及び関連の孔１３の存在により、鍵を所有する許可された人だけによって開けることが可能であるコネクタの結合部３のロックを行うように、南京錠１４を搭載することが可能である。
【００３１】
図９及び図１０は、前述の図３〜図６のような斜視図を表し、連続的表示には、レバー本体２ａの上側縁からデバイス１の抜き出しを決定するまでの、デバイス１の端１ａの内側への僅かな屈曲によるロックデバイス１の解除及び取り外しを動作させる方法が与えられ、この後、デバイス１は時計回りに回転される。図９は、特に、楔として使用される平坦ブレードスクリュードライバの使用を示す。
【００３２】
図１１は、ここに示される特定の設計のロックデバイス１だけの斜視図であり、ロックデバイス１は、ロックレバー２の動作端に対応する外側端１ａにおいて追加タブ１２を有し、そのとき、当該タブ１２には、搭載される可能性がある南京錠１４の受容のための第１の孔１３と、まだ組み立てられていないとき、またはコネクタが離された状況で、同じデバイス１を専用コネクタ３の結合部のコネクタ３ａ，３ｂの２つの半分部の一方に取り付けるのに有用な固定コード１６を設置するためのさらなる小さな孔１５との両方が存在する。
【００３３】
本発明の対象であるデバイスは、追加金属要素であり、追加金属要素は、各々のレバー２によって閉鎖及びロックされる長方形多極電気コネクタ３の筐体と結合されるとき、スナップ式ロックレバー２自体の２つのレバー本体２ａ，２ｂの一方の下に挿入されることができ、底部から上部までの回転運動によりレバー本体２ａ，２ｂを抱持することによって、各々、レバーがない筐体４ｂ（示される例の結合されていない［移動式］筐体［＝フード］は、縁上の密閉ガスケットで固定され得る）と一体であるラッチピン５ａと、レバーを伴う筐体４ａ（移動式筐体）と一体であるスナップ式ロックレバー２のヒンジピン６ａとをロックしようとする。
【００３４】
ここに図示しない異なる実施形態では、適切に成形されたこの追加金属要素は、スナップ式レバー２の２つのレバー本体２ａ，２ｂの一方の外部に載っていることが予想されることができるが、さらに、同じ方法で、２つのピン（側面によって、５ａ，６ａまたは５ｂ，６ｂ）をロックしようとする。この場合、レバー２のヒンジピン６ａ及びラッチピン５ａの両方は、本発明の目的であるロックデバイスを構成する当該追加金属要素の各々の部分を収容するのに適切なそれらの端の近くの適した溝を有する。
【００３５】
当該ロックデバイス１には、剛性三角形が作成され、剛性三角形の３つの頂点はその端１ａ、１ｂ、１ｃによって閉鎖され、各々、レバーのヒンジピン６ａと、レバーのラッチピン５ａと、レバー２自体の動作端とに一致する。
【００３６】
このように説明されたロックレバー用のロックデバイスは、２つの結合筐体１１ｂ，１１ｃが、最終搭載位置では、各々、中央型のスナップ式レバーとのコネクタ筐体の結合部のヒンジピン６ａ及びラッチピン５ａを抱持することを決定し、したがってロックを達成する。
【００３７】
このロックデバイスは、意図されるロックレバーのサイズ（ひいては、コネクタ筐体のサイズ）に関してサイズ決定された単一の部品で作成されることを想定することは容易である。また、ロックデバイス１が、スナップ式ロックレバー、ひいてはコネクタ筐体の一つ以上の長さに適合可能にさせるために等、適切なデバイスによって（２つの摺動部品（例えば、ねじ）の間にロック手段を配置することによって）摺動可能な方法で相互に接続され得る少なくとも２つの部品で作成されることができることを想像することは容易である。
【００３８】
当然ながら、本発明は、添付図で前述に説明され及び示された実現の特定の形態に限定されないが、添付の請求項に定義されるように、本発明自体の範囲から出ることなく、当業者の到達可能な範囲内で本発明に対して、多くの詳細な変更を行うことができる。
【図１】
2020126842.tif 000003
【図２】
2020126842.tif 000004
【図３】
2020126842.tif 000005
【図４】
2020126842.tif 000006
【図５】
2020126842.tif 000007
【図６】
2020126842.tif 000008
【図７】
2020126842.tif 000009
【図８】
2020126842.tif 000010
【図９】
2020126842.tif 000011
【図１０】
2020126842.tif 000012
【図１１】
2020126842.tif 000013
【外国語明細書】
2020126842000001.pdf